(57)【要約】      （修正有）【課題】ちり紙は木質性のため、微生物では分解処理されにくいので、使用済みのちり紙を下水処理場に流さないトイレを提供する。【解決手段】トイレで使用済のちり紙を用便と一緒に水洗便器７に流すのではなく、便器７のすぐ横にある筒状の投入口８に投入する。ちり紙は機器の下流の扇風機１１の力によって落ちて行き、容器９内に取り付けた袋に収納される。袋には幾つもの孔があって、袋の孔から空気だけが通過させるためのものであり、空気は水洗便器の排水管１０内に放出される。袋内のちり紙は他の焼却物と一諸にして地元の焼却センターにて焼却処分する。【選択図】図５
2014173417.tif 000002
【特許請求の範囲】
【請求項１】
一般家庭で出される多くの汚泥は各種類によって、ビニールの袋詰めにして自宅付近の行政からの指定場所の芥収集場所へ各種類ごと分別して出す慣わしとなっている、その分別中の一般汚泥の内、有機物すなわち人間食べ残し等や、木質類、紙等の物をビニール製の袋詰めにした物、即ち燃焼できる物を行政の芥焼却場に出す物と、その他、金属類、ビニール系統の器物、陶器、ガラス類等の不燃物等物は色分けした更に別のビニール製の袋に入れたものを、行政の指導のもと埋め立てる物として、更に色分けしたビニール製の袋に入れた物として共に行政の指導の上、その投棄適地に埋め立てている。しかし最近ではビニール類の廃棄物は多量に燃焼させると、ダイオキシンの発生にも繋がると云うことで、同種類のビニール製の袋は再利用できるから、それを再加工して、同ビニール袋に使用している。これらの物は各種専用の色のビニール袋に分けして、それぞれの物を行政が指定した収集する日に各地域の集積場に出している。行政はそれを指定している業者を使って、各々の処理施設に運搬させていることとなっている。大きく分けて現在では廃棄専用のビニール袋（瀬戸物、ガラス等の割れたもの、金属類、廃棄用プラスチック、その他の廃棄物）、燃焼可能な物（紙、木質類等）、又はビニール系の各種の袋の残物でも袋等に再製作可能なためのビニール類を入れるためのビニール袋の３種類に分けられている。
【請求項２】
これらビニール袋は全て透明でありあらゆる処理用のものを袋に入れても、中身が見えるようになっている。袋そのものは透明であり、しかも形態もまったく同じであって、各種類別１０枚ぐらいを重ね合わせて店舗等で販売している。従って袋の色合いによって廃棄物の判別ができるようになり、行政では燃焼物、すなわち有機物（食物の残物、木材、木の葉、紙類等）とこれまでは各種ビニール袋の残物（他の物の袋として）のもの燃焼用として取り扱われてきたが近年ではビニール袋等の残物は、再加工されて新ビニール袋に生産され、ごみ収集場所に出すようになった、尚、多種に使われてきた切れはしのビニール袋等を多量に集めて、更に同生産する工場等で再加工されて、今使われているビニール袋や、更に、これに加えた新技術に改良された新ビニール袋や、他の製品等を入れるビニール袋も作るようになった。
【請求項３】
本発明はこの従来からある焼却する廃棄物等を入れる専用のもので、形態は同一であり、このビニール袋を利用して行うものであるので、公共の施設で焼却は可能な袋でもある。この袋の形態は普通の買い物袋と大きさは異なっても内容としては全く同じものである、まずその形態は買い物袋と同じで人間の手で持ち上げるための輪っ子の穴２つあり、又袋から品物が落ちない縛るものがある等は本製品としてはまったく同じであってただ利用の仕方が異なるだけである。この品物入れの製品はそのままでは公共の焼却施設では受け取らない、これを受け取らせる公共用の認定した袋の中に入れることとなり、公共の焼却場に毎週徴収日を設けて、その日のうちに各自持ち寄った袋を各地の集積場から集めて公共の焼却場に運び出されて行くのである。
【請求項４】
そこで認定されたビニール袋の上下、左右に１０ミリメートル前後ぐらいの円形の空気を通ずる孔を多数開けておく必要がある、この孔開きの袋を広げたときこの孔の開いたビニール袋は前方から空気が入れて大きく広がるように工夫して、排便で拭かれたちり紙が大きく広がった穴に入り、ちり紙がその袋に溜まるように工夫されている、空気は満たされない孔の部分から出て行く事となる。次にこのような現象を起こさせる機器の説明に入る。この孔開き袋は最後は燃焼させるので、色は燃焼用の色と同色なものが良いと思われる。
【請求項５】
機器は［図１］の地上埋設型として示してあるもので、地中に埋設縦型の［図２］に示してある二通りのものがある。実情微生物ではちり紙汚泥は木質性であるので、分解はできない、手拭をして用便と一諸に水洗トイレに流しても、単なる有機汚泥は分解してもちり紙は木質製のために、浄化槽やその他汚泥分解槽には分解せず残留してしまうことになる。これらのものは最終的にはバキュウムカー等で汚泥処理センターに運ばれなければならない、又当地区内の下水道からのちり紙汚泥も当然であって、これらのもの全て取り出し脱水して焼却処分とする。脱水と云っても現実は半生の状況であって、これを焼却処分とすることになる。半生であるちり紙を焼却するので相当な燃焼費が掛かることとなる。
【請求項６】
トイレで用便したらその用便だけを水洗便器に流し込む、そこで用足しした汚れたちり紙は便器のすぐ横に立ててある筒の中にそのまま投入する。使用済みのだけを投入する筒をトイレ室の水洗便器のすぐ横に丸い筒状のものである。用足したちり紙だけをその筒に投入するのである、用便は水洗便器に直接流し込むことによって、用便だけが下水道管に流し込まれる。用足ししたらちり紙は横の筒を通して埋設型の袋に中に入いる、大きく開かれている孔開きの袋の中に、扇風器の力によって投入される仕組みである。扇風器は孔開きのある大きな袋の後方に置かれる場合と、投入されたちり紙の筒の流れの方ではなく、その反対の方に置くことも出来る。筒の下に落ちるちり紙は空気の流れに沿って動く傾向がある
その原理でちり紙は乾燥しているので、空気の流れの吸引力や追引力によって引きずられてビニール袋の開口部は多きいので、開口部の孔開きの袋の中に入っていくことになる。袋の穴の中の孔開きに、ちり紙が満たされず孔から漏れた空気は下水道管内に導入されて流れていくことになる。［図３］蓋付き地上埋設の方式と［図６］地下埋設型の方式と、これらの方式から漏れた臭気は配管を通じて、反対方向置かれている扇風機を通じている配管から下水管に接続される。［図７］のものは内容的には全く同様な方式であって、扇風機が全面にあるだけのことである。従って、どのような方式でも良いと思われる、又両側に取り付けることもできる。尚、ビニール袋には大と小があって、それぞれの機器に使い分ければよい、ちり紙はほぼ乾燥しているので、空気の流れによってちり紙は筒の流れに非常に良いと思われる。但し扇風器が故障したりした場合はトイレ室内に臭気気が僅かではあるが充満する危険もあるので、ちり紙投入口の先には蓋を必ず取り付けておく必要がある。直ちに必要があれば蓋をする。又、ちり紙の通気用扇風器類が故障したり、排便等で臭気が室内にこもったりするので、修理するか取り替えるかとする。尚、トイレ室の壁には必ず臭気抜き用の換気用扇風器を取り付けて室内を清潔にしておく必要はある。
尚、筒上の蓋に関しては、ちり紙投入口の所には取り付けて置く必要はない、うっかり蓋をした状態で排便して拭き取った散る紙を直接水洗便器に流してしまう危険がある。従って、もしもの時にはトイレ内の別の手じかな所に置いといて、必要があるならばそこから持ってきて蓋をすればよいと思われる。
【発明の詳細な説明】
【技術分野】
【０００１】  本発明はトイレのちり紙を焼却する施設と、その施設内で用便後のちり紙を焼失させるための孔開きの袋の発明である。
【発明の開示】
【発明が解決しようとする課題】
【０００２】  現在用便後の汚物を終了後、手拭きしたちり紙を水洗トイレで用便と一共に便器に流してしまうことが普通である。用便は浄化槽とか汚泥処理センターの処理槽内で微生物の分解作用で水と二酸化炭素に分解されるが、ちり紙は木質性のため分解が不可能である。この汚物のちり紙を収納するための袋とその袋を置くための施設の設置である。【０００３】  このちり紙の問題は世界中どこでも困っている問題であって、そのちり紙の処理は用便と一諸に地中に埋めるか、又は堆肥にするかとしている実情である。わが国では、先進国でもそうであるが、水洗トイレにボタン一つで用便後水洗で尻の汚物を流すとか、異性の前の部分も流す方法が出てきた、そしてその後更に別のボタンを押すと、緩やかな熱風がお尻等に当たり、そのぬれたお尻等を乾燥させる方法も出てきた、これは極めで画期的なことで最近ではこのようなトイレがほとんど出回っている状態である。ただこれの欠点はすぐ近くに不要であるロール巻のちり紙が置かれていることである。実情ではちり紙を使用して水洗便器に捨てていることになっている。これでは何の役にもならない最大の欠点と云える。【０００４】  用便は浄化槽、汚泥処理センター等で微生物等の浄化能力で水と二酸化炭素に分解されその能力は失われてしまうが、実はちり紙は木質性のものであるから、どのような技術性の方法をとっても分解処理は不可能である。そこで扇風機を逆回しにしてその機器の中に各所に孔を開けた既製品としてあるビニール袋を置いて、その中にトイレの筒状の中に使用済みのちり紙を落とすと、機器にある扇風機の風力によってそのちり紙は孔開きの袋にパイプをとうして入る仕掛けになっている。中味はほとんど乾燥しているのであまり不潔感はない、又袋に開きがあれば他の可燃物等も入れて集積場に出せばよい。【０００５】  ちり紙袋から中身は外からは余り良く見えないので、外に出す際あまり気にすることはないが、それでも気になるようであるならば、中が見えないような袋を二重にかぶせて出せばよい、その袋は有色性のビニール製でも、紙製のものでもどちらでもよい【０００６】  このちり紙投棄用トイレは扇風機を回すためのもので、用足しが終わったら近くに電気を止めるためのスイッチあれば、数秒後には止めてもよいが小型の扇風機なので、電気はそれほど掛からないので、そのまま点けっぱなしにして置いてもよいと思う。
【図面の簡単な説明】
【０００７】
【図１】正面図、既製品で行政が指定している不用品等を入れるビニール袋、トイレで使用済のちり紙を投棄して扇風機からの空気を通すための孔開きの袋
【図２】側面図、同上の製品
【図３】本体機器の上面詳細図、機器の中にちり紙取りの袋がセットしてある
【図４】本体機器の断面詳細図、ちり紙取りの袋が円空の状態でセットしてある
【図５】地下埋設型の全体の姿図
【図６】縦型の全体の姿図、構造は地下埋設型とまったく同じである。縦と横だけの関係である。
【図７】ちり紙投入口の最下部のうしろ後方に扇風機を置いて使用しても、押し出されるような形で、空気は管内をオーバフロウしながら流れるのでこれでもよい、従って機器後方の扇風機は不必要である
【符号の説明図】
【０００８】  １    ちり紙入れ袋の正面図
２    ちり紙入れ袋の側面図
３    進入したちり紙を遮断し袋の中に溜め、空気のみを逃がすための孔
４    ちり紙袋を吊り下げるための横穴
５    ちり紙の袋と同一のものでを袋の開口を作るための上下２枚あるための同一板、        上下に紙挟みでとめて袋の開口を作るためのもの
６    つり紙を開口するための左右つり紙開口部材
７    トイレ本体、人はここに座って用をたすための水洗便器
８    用を足した後、汚れたちり紙を投入するための入り口、即ち投入口
９    ちり紙を溜めるための地下埋設型の略図
１０  下水管の本体
１１  逆風の扇風機
１２  扇風機からの送風管
１３  送風管と下水管の合流口、空気は下水管の流路に沿って外部に流出する
１４  地下埋設型の蓋、空気が漏れないよう、隙間が開かないように密着した蓋とする
１５  ちり紙投棄口の縦管の後方の蓋の継ぎ目の管は蓋が簡単にはずせやすいように、        ゴム管、布管、ビニール管等のものを考える
１６  ビニールの薄い板を上下で挟む紙挟み
１７  袋の穴の後部を引っ掛け止める鍵状の板
【図１】
2014173417.tif 000003
【図２】
2014173417.tif 000004
【図３】
2014173417.tif 000005
【図４】
2014173417.tif 000006
【図５】
2014173417.tif 000007
【図６】
2014173417.tif 000008
【図７】
2014173417.tif 000009